(57)【要約】【課題】電子タグからの商品ＩＤを読み取るための空間を閉じるフタがあると、その空間の容積や形状が限られてしまう。【解決手段】商品を入れるためバスケットのなかに商品ＩＤタグを読み取るアンテナを備えるチェックアウト端末の、バスケットの底に、矩形のフットプリントの第１の商品を水平に保持する土手と、前記第１の商品のフットプリントよりも小さい円形のフットプリントを有し前記第１の商品よりも背の高い第２の商品がはまり込む、前記土手よりも深い堀と、を備える。【選択図】図８
2019091189.tif 000002
【特許請求の範囲】
【請求項１】
商品ＩＤタグを有する商品の商品ＩＤを読み取るアンテナと；
前記商品を入れるための開口部を有するバスケットと；
前記開口部を電磁波的に塞ぐバスケットカバーと；
を備え、前記バスケットの底が
矩形のフットプリントの第１の商品を水平に保持する土手と、
前記第１の商品のフットプリントよりも小さい円形のフットプリントを有し前記第１の商品よりも背の高い第２の商品がはまり込む、前記土手よりも深い堀と、を備える
チェックアウト端末。
【請求項２】
前記堀は角丸環状扇形である請求項１のチェックアウト端末。
【請求項３】
前記バスケットを保持し前記バスケットカバーを回動可能に保持する筐体を備え、前記筐体はその前面に、前記バスケットカバーの下面に手を入れて持ち上げるための窪みを有する、請求項１のチェックアウト端末。
【請求項４】
前記バスケットカバーは支点まわりに回動して前記バスケットの前記開口部を開き、
前記バスケットは前記支点よりも奥側にえぐり部を有する、請求項３のチェックアウト端末。
【請求項５】
前記えぐり部の幅は、前記第１の商品の幅よりも広い、請求項４のチェックアウト端末。
【発明の詳細な説明】
【技術分野】
【０００１】
本発明の実施形態は、チェックアウト端末に関する。
【背景技術】
【０００２】
「コンビニ電子タグ１０００億枚宣言」など、商品の個品に電子タグを付す動きがある。複数の電子タグを効率よく確実に一括で読み取るための発明として、電子タグからの商品ＩＤを読み取るための空間を閉じる筐体やフタを備える装置が提案されている。
【先行技術文献】
【特許文献】
【０００３】
【特許文献１】特開2015-207119号公報
【発明の概要】
【発明が解決しようとする課題】
【０００４】
電子タグからの商品ＩＤを読み取るための空間を閉じるフタがあると、その空間の容積や形状が限られてしまう。一回に購入する商品が少数の食料品である可能性が高いと想定される、コンビニエンスストアのセルフチェックアウト端末では、店舗が狭いとか、食料品の形状が様々である上に平らに置かなくてはならないなど商品の姿勢の制限があるとかで、電子タグからの商品ＩＤを読み取るための空間を閉じるためには制約が多い。このような制約に係る課題の解決策が必要である。
【課題を解決するための手段】
【０００５】
一実施形態において、チェックアウト端末は、商品ＩＤタグを有する商品の商品ＩＤを読み取るアンテナと、前記商品を入れるための開口部を有するバスケットと、前記開口部を電磁波的に塞ぐバスケットカバーと、を備え、前記バスケットの底が、矩形のフットプリントの第１の商品を水平に保持する土手と、前記第１の商品のフットプリントよりも小さい円形のフットプリントを有し前記第１の商品よりも背の高い第２の商品がはまり込む、前記土手よりも深い堀と、を備える。
【図面の簡単な説明】
【０００６】
【図１】チェックアウト端末の外観図。
【図２】チェックアウト端末の断面の模式図。
【図３】バスケットカバーを開けた状態のチェックアウト端末の平面図。
【図４】弁当を手前寄せに置いた状態の、チェックアウト端末の断面の模式図。
【図５】バスケットカバーを開けて弁当を手前寄せに置いた状態のチェックアウト端末の平面図。
【図６】弁当を奥寄せに置いた状態の、チェックアウト端末の断面の模式図。
【図７】バスケットカバーを開けて弁当を奥寄せに置いた状態のチェックアウト端末の平面図。
【図８】飲料ボトルを堀にはめ込んだ状態の、チェックアウト端末の断面の模式図。
【図９】バスケットカバーを開けて飲料ボトルを堀にはめ込んだ状態のチェックアウト端末の平面図。
【図１０】飲料ボトルを堀にはめ込んだ状態の、チェックアウト端末の断面の模式図。
【図１１】堀の変形例を示す、チェックアウト端末の断面の模式図。
【図１２】堀の変形例を示す、バスケットカバーを開けた状態のチェックアウト端末の平面図。
【発明を実施するための形態】
【０００７】
以下、商品読取装置の実施形態について、図面を用いて説明する。
【０００８】
（第１の実施形態）
図１は、一実施形態に係るチェックアウト端末１００の外観図である。
【０００９】
一点鎖線で示したXYZ座標のZ軸方向において、右下側が筐体１０１の前側、左上側が筐体１０１の後ろ側であるものとする。Y軸の矢印が示す向きを上であるものとする。X軸に平行な方向を左右方向であるものとする。筐体１０１の前側に立つ客からみて、筐体１０１の前側が手前側、筐体１０１の後ろ側が奥側ということになる。
【００１０】
チェックアウト端末１００は、筐体１０１の天面にタッチパネルディスプレイ１１０、非接触式カード読取部１１２、バスケットカバー１１６を備える。
【００１１】
タッチパネルディスプレイ１１０は、バスケット１１４内の商品群の個品それぞれの商品名やその金額を表示する。非接触式カード読取部１１２は客が決済を行うために近づける非接触カードの情報を読取る。
【００１２】
筐体１０１の天面のバスケットカバー１１６を開いてバスケット１１４へ客が商品群を入れる。商品は例えば、矩形のフットプリントを有する弁当２１０や、弁当よりも小さい円形のフットプリントを有するドリンク飲料ボトル２２０である等である。商品は個品毎の商品ＩＤを持つ商品ＩＤタグをそれぞれに備えている。バスケット１１４のなかにはアンテナ３００がある。アンテナ３００は商品群の個品それぞれが備える商品ＩＤタグと通信し、商品個品毎の商品ＩＤを取得する。
【００１３】
なお、客を操作者とするセルフチェックアウト端末のように説明するが、例えば店舗の従業員など、どのような者が操作者になってもよい。
【００１４】
バスケットカバー１１６はバスケット１１４の上方の開口部を電磁波的にふさぐ蓋である。
【００１５】
バスケットカバー１１６は例えば導電性の金属製でもよい。バスケットカバー１１６は例えば電磁波シールドガラス製でもよい。バスケットカバー１１６は例えば電磁波シールド機能性プラスチック製でもよい。あるいは、バスケットカバー１１６の材質自体は電磁波シールド機能性がなくても、アクディブな電磁場制御器によってバスケット１１４を電磁波的に密閉するしくみを有する構造であってもよい。いずれにせよバスケットカバー１１６は、バスケットカバー１１６が商品ＩＤタグと通信するためのアンテナを担持するのでなければ、電磁波シールド機能を備える。
【００１６】
なお、バスケットカバー１１６が商品ＩＤタグと通信するためのアンテナを担持する構造であれば、アンテナがバスケット１１４内に向いている側は電磁波透過性、アンテナのバスケット１１４と反対側は電磁波シールド性であればよい。
【００１７】
上方からみたシルエットではバスケットカバー１１６は筐体１０１のシルエットのなかに隠れる。
【００１８】
筐体１０１はその前面に、バスケットカバー１１６の下面に面した窪み１１８を有する。客は窪み１１８に手を入れてバスケットカバー１１６を持ち上げる。窪み１１８はバスケット１１４まで貫通してはいない。
【００１９】
バスケットカバー１１６の前側は軽量化および持ち上げやすさのため円弧状になっている。
【００２０】
バスケット１１４の下は客が踏み込めるよう手前側の壁が取り払われた空間１０２になっている。
【００２１】
図２は、チェックアウト端末１００の、図１に矢印Ａで示した断面の模式図である。図３は、バスケットカバー１１６を開けた状態のチェックアウト端末１００の平面図である。
【００２２】
バスケットカバー１１６はバスケット１１４の上方の開口部を電磁波的にふさぐために支点１１６１まわりに回動する。客は窪み１１８に手を入れてバスケットカバー１１６の手前側を持ち上げて、奥側の支店１１６１まわりにバスケットカバー１１６を回動させることになる。
【００２３】
バスケットカバー１１６の下方にバスケット１１４がある。バスケットカバー１１６の下面はバスケット１１４に面する。
【００２４】
バスケット１１４の底面１１４１は、弁当２１０を平らに置くことができる寸法や形状である。
【００２５】
バスケット１１４の底面１１４１は、平らに置いた弁当２１０が落ち込まない入り口形状の堀１１４２を有する。堀１１４２は飲料ボトル２２０の下部が緩くはまり込む寸法や形状であり、堀１１４２の堀底１１４４は飲料ボトル２２０が直立できるよう平らである。
【００２６】
バスケット１１４の底面１１４１は、矢印Ａで示した断面上では堀１１４２が、客からみて奥側の土手１１４３と手前側の土手１１４５とに分断している。
【００２７】
バスケットカバー１１６が大きく重くなって客が開けにくくなるのを避けるためにバスケット１１４の上方の開口部を広くしすぎないようにしつつ、客が弁当２１０を手前寄せや奥寄せに平らにずらすことができる広さの底面１１４１を確保するために、バスケット１１４はＺ方向において支点１１６１よりも奥側へ入り込んだえぐり部１１４６ができるような奥側の壁１１４６を有する。えぐり部１１４６のＸ方向の幅は、弁当２１０の幅よりも広い。
【００２８】
客が手前側から商品をバスケット１１４へ入れやすいように、バスケット１１４の上方の開口部の手前側のリップ１１４９はなるべく手前側に位置させたい一方、弁当２１０を平らに安定させるために底面１１４１のＸ方向の長さは適当な長さに制限したい。そのため、バスケット１１４の手前側の壁１１４８は、上方手前側から下方奥側に傾斜している部分がある。
【００２９】
弁当２１０を手前寄せや奥寄せに平らにずらすことができる広さの底面１１４１を確保するために、バスケット１１４はＺ方向において支点１１６１よりも奥側へ入り込んだえぐり部１１４６ができるような奥側の壁１１４６を有する。
【００３０】
奥側の土手１１４３、堀底１１４４、奥側の壁１１４６、手前側の壁１１４８のそれぞれにアンテナ３００がある。
【００３１】
バスケット１１４の底面１１４１の筐体１０１天面からの高さ、すなわち深さは、バスケットカバー１１６を閉じても弁当２１０の上面と干渉しない上に、弁当２１０を平らに移動させやすいように深すぎない深さに形成されている。
【００３２】
堀１１４２は上方から見ると、飲料ボトル２２０の下部が緩くはまり込む幅で連続し、両端に飲料ボトル２２０が緩くはまり込む程度の円弧を有する、角丸環状扇形である。
【００３３】
図４は弁当２１０を手前寄せに置いた状態の、図１に矢印Ａで示した断面の模式図である。
【００３４】
図５は、バスケットカバー１１６を開けて弁当２１０を手前寄せに置いた状態の、チェックアウト端末１００の平面図である。
【００３５】
客は弁当２１０を手前寄せに置けば、奥側の土手１１４３から手前側の土手１１４５まで橋渡しに堀１１４２の上空に平らに置くことができる。奥側の土手１１４３と手前側の土手１１４５とが弁当２１０の奥側と手前側との両端を支持するので、弁当２１０が安定する。
【００３６】
図６は弁当２１０を奥寄せに置いた状態の、図１に矢印Ａで示した断面の模式図である。
【００３７】
図７は、バスケットカバー１１６を開けて弁当２１０を奥寄せに置いた状態の、チェックアウト端末１００の平面図である。
【００３８】
客は弁当２１０を奥寄せにずらすと、弁当２１０の手前側の辺が堀１１４２の上方に位置するので、客は弁当２１０をバスケット１１４から取り出すときに弁当２１０の下に堀１１４２を介して指を添えることができるので、弁当２１０が安定する。また、堀１１４２が環状扇形なので、堀１１４２のＸ方向の中央付近に指を入れる隙間をつくりつつも、弁当２１０の手前側の辺の左右の端つまり弁当の手前側の両角を手間側の土手１１４５で支持することができる。
【００３９】
図８及び図１０は飲料ボトル２２０を堀１１４２にはめ込んだ状態の、図１に矢印Ａで示した断面の模式図である。
【００４０】
図９は、バスケットカバー１１６を開けて飲料ボトル２２０を堀１１４２にはめ込んだ状態の、チェックアウト端末１００の平面図である。
【００４１】
バスケット１１４の堀底１１４４の筐体１０１天面からの高さ、すなわち深さは、バスケットカバー１１６を閉じても背高である飲料ボトル２２０のてっぺんと干渉しない深さである。深い堀１１４２の側面が細長背高である飲料ボトル２２０の転倒を防止するので客は安心してバスケットカバー１１６の開閉を行うことができる。また、堀１１４２水平面上で環状扇形なので細長背高である飲料ボトル２２０の転倒をより防止しやすい。
【００４２】
筐体１０１の空間１０２は、手前側からバスケット１１４の下、特に堀１１４２の下まで延びており、重い飲料ボトル２２０を持ち上げるときに踏ん張りやすいよう、客が踏み込めるようになっている。
【００４３】
以上、本発明の一実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４４】
例えば、複雑で製造コストが高くなるであろう角丸環状扇形の堀１１４２に代えて、安価に製造できるであろう単純な角丸長方形の堀２１４２に、堀２１４２のＸ方向の中央付近に指を入れる隙間をつくるためのサグリ部２２４２を設けた構造を用いてもよい。
【符号の説明】
【００４５】
チェックアウト端末・・・１００、筐体・・・１０１、空間・・・１０２、タッチパネルディスプレイ・・・１１０、非接触式カード読取部・・・１１２、バスケット・・・１１４、底面・・・１１４１、堀・・・１１４２、土手・・・１１４３、堀底・・・１１４４、えぐり部・・・１１４６、壁・・・１１４６、壁・・・１１４８、リップ・・・１１４９、バスケットカバー・・・１１６、支点・・・１１６１、窪み・・・１１８、弁当・・・２１０、堀・・・２１４２、飲料ボトル・・・２２０、サグリ部・・・２２４２、アンテナ・・・３００。
【図１】
2019091189.tif 000003
【図２】
2019091189.tif 000004
【図３】
2019091189.tif 000005
【図４】
2019091189.tif 000006
【図５】
2019091189.tif 000007
【図６】
2019091189.tif 000008
【図７】
2019091189.tif 000009
【図８】
2019091189.tif 000010
【図９】
2019091189.tif 000011
【図１０】
2019091189.tif 000012
【図１１】
2019091189.tif 000013
【図１２】
2019091189.tif 000014